(57)【特許請求の範囲】
【請求項１】
扉の自由側端縁部に沿って上下方向に延在する合成弾性材料よりなるハンドルバーを備え、このハンドルバーは、一端を扉面に固定され、ハンドルバー全体の弾性変形によって扉面に垂直な前後方向に揺動可能にされたその他端を、連係部材を介して錠箱のラッチ機構に連係させ、以て、ハンドルを手で扉面に垂直な方向に押し引きすることにより、ハンドルバーの他端を前後方向に動かし、錠箱のラッチ機構を制御するようにしたことを特徴とする扉のハンドル装置。
【請求項２】
扉の自由側端縁部に沿って上下方向に延在する合成弾性材料よりなるハンドルバーを備え、このハンドルバーは、一端部を、水平な第１支軸により、台座に対し前後方向に揺動可能に支承させると共に、他端を、水平な第２支軸により、上下方向に移動可能に案内された連係部材に対し前後方向に揺動可能に支承させ、この連係部材を介して、錠箱のラッチ機構に連係させ、以て、ハンドルを手で扉面に垂直な方向に押し引きすることにより、ハンドルバーの全体を弾性変形させてハンドルバーの他端を上下方向に動かし、錠箱のラッチ機構を制御するようにしたことを特徴とする扉のハンドル装置。
【発明の詳細な説明】
【０００１】
【発明の属する技術分野】
この発明は新規な扉のハンドル装置に関する。更に詳しくは、ハンドル自身の弾性変形を利用してハンドルの案内及び錠箱のラッチ機構の駆動を行えるようにした扉のハンドル装置に関する。
【０００２】
【従来の技術】
扉のハンドル装置は、扉の自由側端縁部に沿って上下方向に延在するハンドルバーを、例えば垂直な回動軸の回りを回動できるように支承し、ハンドルバーを握って扉を押し引きすると、そのハンドル操作によりハンドルバーが垂直な回動軸の回りを回動するので、その扉に対するハンドルバーの相対回動を利用して錠箱のラッチ機構を解除する。
【０００３】
このように、ハンドル装置はラッチ機構の解除と扉の開け閉め操作を一つのハンドルバーで行えるので使い勝手が良い。
【０００４】
或いは、例えば特願平７−８８７８３号の明細書に開示された発明によるハンドル装置は、平行四辺形リンクを介してハンドルバーを扉に装着し、当該リンクの変形によりハンドルバーを扉面に垂直な前後方向に移動できるように案内する。
【０００５】
そして、ハンドルを握って扉を開ける方向或いは閉める方向に押し引きするときのハンドルバーの前後方向に動きを、連係部材を介して錠箱のラッチ機構に伝達し、これを解除する。
【０００６】
【発明が解決しようとする課題】
上記した従来のハンドル装置は、ハンドルバーが剛体であるため、その扉に対する支持装置、又は案内装置を必要とし、必然的に構造が複雑になり、また故障の確率や保守点検の頻度が増大する、という不都合がある。
【０００７】
この発明は、上記した従来のハンドル装置の不都合を解消し、弾性材質のハンドルバーの弾性変形を利用してラッチ機構を制御できるようにした新規なハンドル装置を提供することを目的としている。
【０００８】
【課題を解決するための手段】
上記の目的を達成するため、請求項１に記載の発明は、扉の自由側端縁部に沿って上下方向に延在する合成弾性材料よりなるハンドルバーを備え、このハンドルバーは、一端を扉面に固定され、ハンドルバー全体の弾性変形によって扉面に垂直な前後方向に揺動可能にされたその他端を、連係部材を介して錠箱のラッチ機構に連係させ、以て、ハンドルを手で扉面に垂直な方向に押し引きすることにより、ハンドルバーの他端を前後方向に動かし、錠箱のラッチ機構を制御するようにしたことを特徴とする。
【０００９】
また、請求項２に記載の発明は、扉の自由側端縁部に沿って上下方向に延在する合成弾性材料よりなるハンドルバーを備え、このハンドルバーは、一端部を、水平な第１支軸により、台座に対し前後方向に揺動可能に支承させると共に、他端を、水平な第２支軸により、上下方向に移動可能に案内された連係部材に対し前後方向に揺動可能に支承させ、この連係部材を介して、錠箱のラッチ機構に連係させ、以て、ハンドルを手で扉面に垂直な方向に押し引きすることにより、ハンドルバーの全体を弾性変形させてハンドルバーの他端を上下方向に動かし、錠箱のラッチ機構を制御するようにしたことを特徴とする。
【００１０】
【発明の実施の形態】
以下、図面に示す実施例に基づいてこの発明について説明する。なお、この発明のハンドル装置は、出入り口としての扉１０に設けるときには室外側及び室内側の両面に取り付けるのが普通であるが、物入れや倉庫の扉に設けるときはその外面にのみ取り付ければ済む。
【００１１】
請求項１に記載の扉のハンドル装置を示す図１乃至図３において符号２は合成弾性材料よりなるハンドルバーを示し、図示の実施例におけるハンドルバー２は、扉の自由側端縁部に沿って上下方向に延在し、全体の形状が略弓形の棒状体である。
【００１２】
ここでハンドルバー２の材質を示す合成弾性材料とは合成樹脂、合成ゴム等の有機弾性材料を意味するものとし、場合によっては補強の為長い芯材を埋設して使用することもある。
【００１３】
デザイン上の理由から他端側のラッチ操作部１と同形に成形された内外のハンドルバー２、２の一端（図１〜３で下端）は、扉１０への接合面に加硫接着された基板３を通る取付ビス４、４により、室内側（図１で左側）から呼び付けられるようにして扉１０に固定されている。
【００１４】
一方、扉１０内に埋設されたラッチ錠の錠箱５にほぼ整合する扉表面部分にはラッチ操作部１が装着されている。
【００１５】
このラッチ操作部１は、上記ハンドルバー２の一端に関し上方に配設されており、大略スリッパのような形状に成形されている。すなわち、スリッパの足を乗せる板に相当し、中央部に開口を有する本体部６が取付ビス４、４によって扉面に呼び付けられるようにして固定されている。
【００１６】
そして、この本体部６の上端部にはスリッパの足先を覆う甲の部分に相当するフード部７が一体に形成されており、このフード部７内にハンドルバー２の先端が係入している。
【００１７】
一方、図１に示すように、ラッチ操作部１内には、略Ｔ字形の連係部材８と略三角形の駆動レバー９とを連結ピン１１及び図面を明瞭にするため付番しないボスにより一体に結合した、全体の形状が略へ字形の揺動レバー１２が装着されている。
【００１８】
この揺動レバー１２は、その中央部の上記付番しないボスに嵌合し、本体部６の中央開口部に支承された第１枢軸１３の回りを回動可能に案内されている。
【００１９】
また、揺動レバー１２の図１における上端、すなわち駆動レバー９の先端部は、ハンドルバー２の上端部の扉１０に対向する側に形成された空洞部１４内に係入している。
【００２０】
そして、揺動レバー１２の上端は、ハンドルバー２の上端空洞部１４を貫通し、上記第１枢軸１３と平行な第２枢軸により、ハンドルバー２の上端にリンク結合されている。
【００２１】
なお、揺動レバー１２とハンドルバー２の上端との抉りを解消し、両者のリンク結合部の作動を円滑にするため、第２枢軸１５が嵌合する穴部の径を少し大きくして所謂バカ穴にするとよい。
【００２２】
上記した構成の請求項１に記載の発明による扉のハンドル装置は、ハンドルバー２に外力が作用しない常態においては、図１に示すように、ハンドルバー２自身の弾性により、その上端の扉１０に対向する面がラッチ操作部の本体部６の外面開口端縁に弾圧してその位置が規定されている。
【００２３】
このとき連係部材８は図１に示す角度位置に保たれていて、このときには連係部材は錠箱５内のラッチ解除部材には接触しないものとする。
【００２４】
図１では右方を例えば外方とし、外出から帰った家人がハンドルバー２を握って例えば矢印Ａ方向に引くと、図３に示すように、ハンドルバー２は弾性変形して上端が外方に移動する。
【００２５】
その結果、このハンドルバー２の上端にリンク結合された揺動レバー１２が僅かな角度ではあるが時計方向に回動し、錠箱５内に係入している連係部材８の内端が時計方向、すなわち図３で上方に移動する方向、また図１で矢印Ｂ方向に回動して錠箱５内のラッチ機構を解除する。
【００２６】
続けてハンドルバー２を外方に引けば、扉１０は図１で矢印Ｃ方向に、すなわち開放する方向に移動するので、通常の扉のハンドル装置と同様に、ハンドルバーを例えば引く、という一動作により、ストライク板からのラッチボルトの引き抜きと扉の開放の両方の操作を行うことができる。
【００２７】
なお、ハンドルバー２を引くとき、図３に示すように、その上端の外面がラッチ操作部のフード部の開口端縁部に内側から当接してハンドルバー２の最大引き量を規定する。
【００２８】
これに対し、前記したように、ハンドルバー２の扉１０との最小間隔はハンドルバー２の上端と本体部６との接触によって規定されるが、ハンドルバー２の上端の移動量の規定は例えば揺動レバー１２の回動角度を規定する、等他の手段でも達成できることは言う迄もない。
【００２９】
一方、図１では詳細に現われていないが、内方のハンドル装置、すなわち左側のハンドル装置は右側のそれと扉１０に関して対称的に構成されている。
【００３０】
また、内方のハンドル装置におけるハンドルバー１２は、外力が作用しない常態においては、図３に示すように外方に付勢された状態にあって、その上端がフード部７に係止されている。
【００３１】
更にまた、外出するときには内方のハンドルバー２を図１の矢印Ｄ方向に押動する。
【００３２】
その為、扉口を通り抜けた後扉を閉めるときには、外方のハンドルバーを放した後内方のハンドルバーを室内側に、すなわち図１において左側のハンドルバー２を内側に、すなわち矢印Ｄ方向とは反対方向に引くが、このときには揺動レバー１２は揺動しないのでラッチボルトはその斜面とストライク板との間に作用する楔作用によって錠箱５内に押込められる。
【００３３】
上記したハンドル装置を外出の為内側から操作する場合はの作動は上記したと同様であるから、更に詳細な説明は省略する。
【００３４】
周知のように、ハンドルバー２の剛性は外力が作用する方向の寸法の３乗に比例する。
【００３５】
その為、図示の実施例のようにハンドルバー２の横断面形状を例えば略矩形にし、その見付け方向の寸法を見込み方向のそれよりも大きくしておけば、前後方向には柔らかく弾性変形しやすいが、左右方向には硬くすることができるので、ハンドルバー２の弾性と剛性とを合理的に組合わせることにより、他の案内装置を用いることなく、ハンドルバーの自由端、すなわち他端を円滑に前後方向に移動できるように案内することができる。
【００３６】
一方、請求項２に記載の発明による扉のハンドル装置は例えば図４乃至図７に示すように構成されている。なお、これらの図において図１乃至図３と同符号を付した部分は相互に均等な部分を示す。
【００３７】
図４及び図５において符号２はハンドルバーを示し、このハンドルバー２の一端（下端）は、デザイン上の理由により他端部のラッチ操作部１と同形に成形された台座１６に、水平な第１支軸１７を介して、扉１０の表面に垂直な前後方向に揺動可能に支承されている。
【００３８】
ハンドルバー２の材質は、前記請求項１に記載の発明によるハンドル装置のハンドルバーと同様に合成弾性材料である。
【００３９】
これに対し、台座１６の材質はハンドルバー２と同じでもよいし、また例えば金属等の他の材質でもよい。
【００４０】
一方、扉１０内に埋設されたラッチ錠の錠箱５にほぼ整合する扉表面部分には、ラッチ操作部１が上下方向にのみ移動できるように拘束され、案内された状態で装着されている。
【００４１】
すなわち、扉１０の表面のラッチ操作部１と重合する部分には、ラッチ操作部１と扉１０の表面とに挟持されるような位置関係で、横断面形状が略Ｔ字形であり（図６参照）、上下方向に延在する細長い（図７参照）ガイド板１８が取付ビス４、４により扉表面に装着されている。
【００４２】
このガイド板１８に、上記台座１６と同形で、扉１０に対向する面に、ガイド板１８に外側から填り合うように同形の溝を形成したラッチ操作部１が上下方向に移動可能に装着されている。
【００４３】
この場合、ラッチ操作部１が扉面と摺接することを防止するため、図６に示すように、ラッチ操作部１と扉１０との間に僅かの間隙を形成するを可とする。
【００４４】
このラッチ操作部１の中央部には、全体の形状が略Ｔ字形の連係部材８が、内端が錠箱５のラッチ機構部に挿入されるような位置関係で一体的に植設されている。
【００４５】
そして、この連係部材８の内端部は、組立の便の為ガイド板１８に形成されたスリット１８ａ（図７参照）を通って、図１に示すように、錠箱５のラッチ機構部に挿入されている。
【００４６】
また、ハンドルバー２の他端部（図１で上端）は、水平な第２支軸１９を介して、ラッチ操作部１に前後方向に揺動可能に連結されている。
【００４７】
この場合、室外側（図４で右側）のハンドルバー２は、自然状態では図示の曲率よりも大きな曲率を有しているものとし、ハンドル装置に装着された状態では少し伸張しているが、自身の弾力による収縮は連係部材８の内端とガイド板のスリット１８ａの端縁との係合により阻止されている。
【００４８】
なお、ハンドル装置の室内側は図４において左右対称に構成されているものとするが、室内側のハンドルバー２は、室外側とは反対に、外力が作用しない自然状態では図４に示す曲率よりも小さい曲率を有しており、ハンドル装置に装着された状態では自身の弾力により伸張しようとする傾向にある。
【００４９】
そこで、室内側のハンドルバー２は、外側のガイド板１８とは上下対称的に扉面に装着された図示しないガイド板のスリットと室内側の連係部材との係合により、図４に示す曲率を保つ。
【００５０】
上記した構成のハンドル装置は、外出から帰った家人が扉１０を開けるためハンドルバー２を握って例えば矢印Ｆ方向に押動すると、一端を扉１０に固定されたハンドルバー２の全体が曲率を減じる方向、すなわち伸張する方向に弾性変形し、その他端が上方に移動する。
【００５１】
その為、第２支軸１９及びラッチ操作部１を介してハンドルバー２の他端に連係された連係部材８は錠箱５内において上方に移動し（図示せず）、ラッチ機構を解除する。
【００５２】
以降、ハンドルバー２を押し続ければ、そのハンドルバー２の動きによって扉１０が開くことは前記した請求項１に記載の発明によるハンドル装置と同様である。
【００５３】
これとは反対に室内側から扉を開けるには、ハンドルバー２を室内側に引く、すなわち図４において矢印Ｆ方向に引く。
【００５４】
すると、ハンドルバー２は曲率が増大する方向に弾性変形し、その結果連係部材８は下方に移動するのでその動きを利用して錠箱内のラッチ機構を解除する。
【００５５】
なお、図４においてはハンドルバー２を支軸１７、１９を有する滑節を介して台座１６或いはラッチ操作部１に連係させてあり、この場合この滑節部分には曲げモーメントによる反力が生じないので、ハンドルバー２に加えられる力が効率良くハンドルバー２の弾性変形に利用される。
【００５６】
しかしながら、例えばハンドルバー２と台座１６或いはラッチ操作部１とを同じ材料で一体的に構成し、曲げモーメントによる反力が小さくなるように、これらの間に皮１枚残すようにして結合すれば（図示せず）、必ずしも支軸１７、１９による結合は必要無い。
【００５７】
【発明の効果】
以上の説明から明らかなように、本発明は、ハンドルバー２の弾性変形を利用してハンドルバーの作用端であるその他端を案内するので、ハンドルバーが剛体である場合に必須なその案内装置を省略することができ、ハンドル装置の全体の構造を簡単にすることができる。
【００５８】
また、同様の理由により、ハンドル装置の保守点検作業の省略化を図ることができるばかりでなく、作動の信頼性も大幅に向上する。
【００５９】
更にまた、従来のハンドル装置におけるハンドルバーの案内装置に必須の遊びが無くなるので、ハンドルバーの作動が円滑になり、使い勝手が向上する、等種々の効果を奏する。
【図面の簡単な説明】
【図１】請求項１に記載の発明の位置実施例によるハンドル装置の一部断面側面図で、扉が閉鎖されている常態を示す。
【図２】その正面図。
【図３】図１と同様の一部断面側面図で、ハンドルばーを作動させた状態を示す。
【図４】請求項２に記載の発明の位置実施例によるハンドル装置の一部断面側面図で、扉が閉鎖されている常態を示す。
【図５】その正面図。
【図６】図４のＶＩ−ＶＩ線から見たラッチ操作部の底面図。
【図７】ガイド板の平面図。
【符号の説明】
１  ラッチ操作部
２  ハンドルバー
３  基板
５  錠箱
８  連係部材
１２  揺動レバー
１３  第１枢軸
１４  空洞部
１５  第２枢軸
１６  台座
１７  第１支軸
１８  ガイド板
１９  第２支軸
【図１】
0004120975.tif 000002
【図２】
0004120975.tif 000003
【図３】
0004120975.tif 000004
【図４】
0004120975.tif 000005
【図５】
0004120975.tif 000006
【図６】
0004120975.tif 000007
【図７】
0004120975.tif 000008